(57)【要約】【課題】浸水時に完全に止水できるようにするとともに、経年変化や残留変位などが発生しても収まりがよく、地震時の建物挙動に影響を与えることがない止水装置とする。【解決手段】水平方向に開口した横スリット２５からの浸水を防止するための止水装置１である。横スリット２５の下側躯体２６に鉛直方向に移動可能に設けられ、上方に移動した際に横スリット２５の開口を閉塞する止水板２と、止水板２に取り付けられ、浸水時に浮力によって止水板２を上昇させる浮体３と、止水板２に取り付けられ、止水板２が横スリット２５の開口を閉塞した際に、横スリット２５の上側躯体２７に設けられた固定側パッキン５に当接するとともに、磁力によって固定側パッキン５に止着可能とされた可動側パッキン４とから主に構成する。【選択図】図３
2015175220.tif 000002
【特許請求の範囲】
【請求項１】
水平方向に開口した横スリットからの浸水を防止するための横スリットの止水装置であって、
前記横スリットの下側躯体に対し鉛直方向に移動可能に設けられ、上方に移動した際に前記横スリットの開口を閉塞する止水板と、前記止水板に取り付けられ、浸水時に浮力によって前記止水板を上昇させる浮体と、前記止水板に取り付けられ、前記止水板が前記横スリットの開口を閉塞した際に、前記横スリットの上側躯体に設けられた固定側パッキンに当接する可動側パッキンとを含むことを特徴とする横スリットの止水装置。
【請求項２】
前記横スリットの下側躯体に対し、鉛直方向に長い長孔を備えた架台が設けられ、
前記止水板は、前記長孔に係合する突起を備えるとともに、前記突起が前記長孔をガイドとして移動することにより、鉛直方向に移動可能に設けられている請求項１記載の横スリットの止水装置。
【請求項３】
鉛直方向に開口した縦スリットからの浸水を防止するための縦スリットの止水装置であって、
前記縦スリットの一方側躯体に対し水平方向に移動可能に設けられ、移動した際に前記縦スリットの開口を閉塞する止水板と、前記止水板と係合し、浸水時に浮力によって上昇した際に前記止水板を水平移動させる浮体と、前記止水板が前記縦スリットの開口を閉塞した際に、前記縦スリットの他方側躯体に設けられた固定側パッキンに当接する可動側パッキンとを含むことを特徴とする縦スリットの止水装置。
【請求項４】
前記止水板の下部に車輪が取り付けられ、前記浮体の上面に前記縦スリット側に下る傾斜面が形成されるとともに、この傾斜面を前記車輪が走行可能とされ、
浸水時に浮力によって前記浮体が上昇した際に、前記車輪が前記浮体の傾斜面を走行することにより、前記止水板が水平方向に移動可能とされている請求項３記載の縦スリットの止水装置。
【請求項５】
前記止水板は、プラスチック板からなる請求項１〜４いずれかに記載の横スリットの止水装置又は縦スリットの止水装置。
【請求項６】
前記可動側パッキン又は固定側パッキンのいずれか一方に強磁性金属が含まれ、いずれか他方に磁石が含まれている請求項１〜５いずれかに記載の横スリットの止水装置又は縦スリットの止水装置。
【請求項７】
前記止水装置を構成する部材はそれぞれ、前記下側躯体及び上側躯体又は前記一方側躯体及び他方側躯体への固定用の締結部材が横スリット内又は縦スリット内に設けられていない請求項１〜６いずれかに記載の横スリットの止水装置又は縦スリットの止水装置。
【発明の詳細な説明】
【技術分野】
【０００１】
本発明は、水平方向に開口する横スリット又は鉛直方向に開口する縦スリットを介して連通された空間同士の一方の空間が一定の水位に達したとき、前記横スリット又は縦スリットを通じて他方の空間に浸水するのを防止するための横スリットの止水装置及び縦スリットの止水装置に関する。
【背景技術】
【０００２】
従来より、図１に示されるように、基礎と建物２０との間に、積層ゴムなどの免震装置２１を複数設置し、前記免震装置２１にて地震時のエネルギーを吸収して建物２０に直接伝えないようにした免震構造が知られている。通常、前記免震装置２１が設置される免震層２２は、地表面（ＧＬ）より４〜１０ｍ程度掘り下げた位置に設置されることが多い。これは、それ以上深い位置に設置した場合、地表面位置での建物の変位が大きくなり、建築設計上の制約が大きくなってしまうためである。
【０００３】
また、免震構造を備えた建物は、比較的建物が密集する都市部に多く存在し、このような場所では地価が高いため、免震層２２の更に下層に地下空間２３を構築し、この地下空間２３に地下駐車場、機械室、電気室、地下変電所などを設置して有効利用を図る場合が多い。
【０００４】
一方、免震構造を備えた建物と周辺地盤との境界部分には、地震時の変位を吸収するため、前記免震層に連通する垂直方向に開口した隙間が設けられるとともに、この隙間の開口を被覆するように地震時の変位を吸収する機構を備えたエキスパンションジョイントが設置されている。このエキスパンションジョイントは、地震時に躯体間の相対変位に応じて可動することにより地震時の変位を吸収する役割を果たしているため、その機構上、エキスパンションジョイントには隙間部分があり、ゲリラ豪雨時や河川の堤防決壊時などにおいてはエキスパンションジョイントの隙間部分から免震層２２内に水が流れ込む仕組みとなっている。したがって、免震層２２は、災害時に浸水することを許容する設計となっているのが一般的である。
【０００５】
このような免震構造においては、上部の建物２０から地下空間２３内へと続くエレベータシャフトや階段、地下駐車場への車路など、免震層上部構造（地震時に免震ゴムにより変形する側の部分）と免震層下部構造（免震ゴムの影響を受けない側の部分）とを繋ぐシャフト体２４が幾つか存在する。このような免震部分と非免震部分との間には、地震時の変位（横方向）を吸収するため、水平方向に開口する幅５０ｍｍ程度の横スリット２５（所謂、免震スリット）を設けなければならない。このため、免震層２２が浸水した場合、前記横スリット２５を通じて免震層２２内の水が地下空間２３内へと流れ込み、人身災害のおそれがあるとともに地下の電気機械室や変電所などの機器に大きなダメージを与えることが懸念されていた。
【０００６】
このような横スリットの開口部分を被覆するものとして、最も一般的に用いられるのが、図９に示されるような横スリット用エキスパンションジョイント５０である（下記特許文献１、２参照。）。この横スリット用エキスパンションジョイント５０は、通常時には、図９(A)に示されるように、隙間の開口を被覆しているが、地震時には、同図９(B)に示されるように、躯体間の相対変位に応じて可動することにより地震時の変位を吸収する役割を果たしている。このように、横スリット用エキスパンションジョイント５０は、免震層内に流れ込んだ水をある程度止水することは可能であるが、以下ような問題点があった。
(1)地震時に可動する機構上、隙間があり完全な止水ができないため、横スリットを通じて地下空間に浸水するおそれがあった。
(2)免震ゴムの経年変化により横スリットの間隔が減少するが、そのときにエキスパンションジョイントが上手く収まらない。
(3)地震後の残留変位によって上側躯体と下側躯体との間にずれが生じた場合、エキスパンションジョイントが上手く収まらない。
(4)通常アルミ製で、水圧に耐える構造になっていない。
(5)地震時に可動するため、施工の不具合等により、地震時の建物挙動に影響を与えるおそれがある。
(6)メンテナンスが困難である。
【０００７】
また、このような横スリットからの浸水を防止する技術として、下記特許文献３においては、地盤面近くに免震スリットを有する免震建物において、免震スリットの上部構造体に設けた免震ピット塞ぎの下面とそれに対面する免震ピット擁壁の上面との間隙に、風雨吹込み防止用のヒレ部が連設された浸水防止用プレートを開閉自在に設けた免震構造が提案されている。
【０００８】
一方、スリット内に止水用の部材を設置することによって常時スリットを締め切るようにした技術として、外壁部の下方に位置する基礎の上面に止水板を設けたもの（下記特許文献４）、基礎側水切部材の水平部に貼設される基礎側止水部と、建物側水切部材の水平部に貼設される建物側止水部とをスライド自在に当接させたもの（下記特許文献５）、建物基台部の上面にガスケットを配設し、ガスケットに当接する上部免震建物の基底躯体の下面に摺動部材を埋設したもの（下記特許文献６）などが開示されている。
【先行技術文献】
【特許文献】
【０００９】
【特許文献１】特開２００７−２３１６１１号公報
【特許文献２】特開２０１４−９４５６号公報
【特許文献３】特開２００７−２８５０７８号公報
【特許文献４】特開２００５−２０７１７６号公報
【特許文献５】特開２００３−２９３４６７号公報
【特許文献６】特開２０００−３０３７１８号公報
【発明の概要】
【発明が解決しようとする課題】
【００１０】
しかしながら、上記特許文献３記載の止水装置では、浸水直後の浸水防止用プレートの水位まで達していないときには、水が通り抜けてしまうため、完全な止水が困難であった。更に、通常はスリットの隙間が小さいため、既設のスリットに対し後付けで取り付けることが困難であった。
【００１１】
一方、常時締め切るようにした上記特許文献４〜６記載のような止水装置では、地震時に摺動するため建物挙動に何らかの影響を与えるおそれがあった。また、浸水時の水圧に対して耐性がなく、完全な止水が困難な場合があった。
【００１２】
また別の方法として、横スリットの躯体間に耐水用のゴムやビニール類を設置することにより止水することも可能であるが、横スリット本来の目的である地震時の揺れに対して何らかの影響を及ぼしたり、地震時の変位によって破損したりするおそれがあった。
【００１３】
また、免震層内において、ドアや換気口等の縁切りのため鉛直方向に開口した縦スリットからの浸水も問題となる場合があるため、縦スリットにおいても横スリットと同様に、浸水時に完全に止水できる止水装置が必要であった。
【００１４】
そこで本発明の主たる課題は、浸水時に完全に止水できるようにするとともに、経年変化や残留変位などが発生しても収まりがよく、地震時の建物挙動に影響を与えることがないなどの利点を備えた横スリットの止水装置及び縦スリットの止水装置を提供することにある。
【課題を解決するための手段】
【００１５】
上記課題を解決するために請求項１に係る本発明として、水平方向に開口した横スリットからの浸水を防止するための横スリットの止水装置であって、
前記横スリットの下側躯体に対し鉛直方向に移動可能に設けられ、上方に移動した際に前記横スリットの開口を閉塞する止水板と、前記止水板に取り付けられ、浸水時に浮力によって前記止水板を上昇させる浮体と、前記止水板に取り付けられ、前記止水板が前記横スリットの開口を閉塞した際に、前記横スリットの上側躯体に設けられた固定側パッキンに当接する可動側パッキンとを含むことを特徴とする横スリットの止水装置が提供される。
【００１６】
上記請求項１記載の発明は、例えば、免震支持された免震層上部構造物に一体化されるエレベータシャフト、階段、車路などのシャフト体と、免震ゴムの影響を受けない免震層下部構造物（地下空間）との間に設けられた地震時の変位を吸収するための免震スリットなどのような、下側躯体と上側躯体との間に形成された水平方向に開口した横スリットを通じて、免震層内の水が地下空間内に浸水するのを防止するための横スリットの止水装置である。
【００１７】
前記止水装置は、前記横スリットの下側躯体に対し鉛直方向に移動可能に設けられ、上方に移動した際に前記横スリットの開口を閉塞する止水板と、前記止水板に取り付けられ、浸水時に浮力によって前記止水板を上昇させる浮体と、前記止水板に取り付けられ、前記止水板が前記横スリットの開口を閉塞した際に、前記横スリットの上側躯体に設けられた固定側パッキンに当接するとともに、磁力によって前記固定側パッキンに止着可能とされた可動側パッキンとから主に構成されている。
【００１８】
この構成によって、免震層内の水位が前記浮体の取付け位置まで上昇すると、前記浮体の浮力によって前記止水板が上昇を開始し、免震層内の水位が増すに従って徐々に止水板が上昇して横スリットの開口を閉じるように作用する。その後、止水板に取り付けられた前記可動側パッキンが横スリットの上側躯体に取り付けられた固定側パッキンに当接すると、横スリットの開口が完全に閉塞され、横スリットからの浸水が防止できるようになる。また、免震ゴムの経年変化や地震後の残留変位などによって横スリットの下側躯体と上側躯体との間にずれが生じた場合でも、浮体の浮力によって止水板が上昇する単純な機構であるため、止水機構に問題が生ることがない。更に、地震時に横スリットの下側躯体と上側躯体との間で干渉がないため、建物挙動に影響を与えることがない。
【００１９】
請求項２に係る本発明として、前記横スリットの下側躯体に対し、鉛直方向に長い長孔を備えた架台が設けられ、
前記止水板は、前記長孔に係合する突起を備えるとともに、前記突起が前記長孔をガイドとして移動することにより、鉛直方向に移動可能に設けられている請求項１記載の横スリットの止水装置が提供される。
【００２０】
上記請求項２記載の発明では、前記横スリットの下側躯体に対し、鉛直方向に長い長孔を備えた架台を設けておき、この長孔に止水板の突起を係合させることにより、この突起が前記長孔をガイドとして鉛直方向に移動するため、前記浮体の浮力による止水板の上昇がスムーズに行われるようになる。
【００２１】
請求項３に係る本発明として、鉛直方向に開口した縦スリットからの浸水を防止するための縦スリットの止水装置であって、
前記縦スリットの一方側躯体に対し水平方向に移動可能に設けられ、移動した際に前記縦スリットの開口を閉塞する止水板と、前記止水板と係合し、浸水時に浮力によって上昇した際に前記止水板を水平移動させる浮体と、前記止水板が前記縦スリットの開口を閉塞した際に、前記縦スリットの他方側躯体に設けられた固定側パッキンに当接する可動側パッキンとを含むことを特徴とする縦スリットの止水装置が提供される。
【００２２】
上記請求項３記載の発明は、例えば、免震層内のドアや換気口等の縁切りのための縦スリットを通じた浸水を防止するための止水装置である。この止水装置は、前記縦スリットの一方側躯体に対し水平方向に移動可能に設けられ、移動した際に前記縦スリットの開口を閉塞する止水板と、この止水板と係合し、浸水時に浮力によって上昇した際に前記止水板を水平移動させる浮体と、前記止水板が前記縦スリットの開口を閉塞した際に、縦スリットの他方側躯体に設けられた固定側パッキンに当接する可動側パッキンとから主に構成されている。
【００２３】
この構成によって、免震層内の水位が前記浮体の取付け位置まで上昇すると、浮体の浮力によって止水板が上昇を開始し、この浮体に係合する止水板が水平方向に移動を開始する。そして、免震層内の水位が増すに従って徐々に浮体が上昇し、これに伴って止水板が水平方向に移動し、縦スリットの開口を閉じるように作用する。その後、止水板に取り付けられた前記可動側パッキンが横スリットの上側躯体に取り付けられた固定側パッキンに当接すると、縦スリットの開口が完全に閉塞され、縦スリットからの浸水が防止できるようになる。また、免震ゴムの経年変化や地震後の残留変位などによって縦スリットの一方側躯体と他方側躯体との間にずれが生じた場合でも、浮体の浮力によって浮体が上昇するのに伴って止水板が水平方向に移動する単純な機構であるため、止水機構に問題が生じることがない。更に、地震時に縦スリットの一方側躯体と他方側躯体との間で干渉がないため、建物挙動に影響を与えることがない。
【００２４】
請求項４に係る本発明として、前記止水板の下部に車輪が取り付けられ、前記浮体の上面に前記縦スリット側に下る傾斜面が形成されるとともに、この傾斜面を前記車輪が走行可能とされ、
浸水時に浮力によって前記浮体が上昇した際に、前記車輪が前記浮体の傾斜面を走行することにより、前記止水板が水平方向に移動可能とされている請求項３記載の縦スリットの止水装置が提供される。
【００２５】
上記請求項４記載の発明は、前記縦スリットの止水装置において、浮体と止水板との係合により、浸水時に浮体が浮力によって上昇した際に止水板を水平移動させる機構について詳細に規定したものである。
【００２６】
請求項５に係る本発明として、前記止水板は、プラスチック板からなる請求項１〜４いずれかに記載の横スリットの止水装置又は縦スリットの止水装置が提供される。
【００２７】
上記請求項５記載の発明では、前記止水板を繊維強化プラスチック（ＦＲＰ）やアクリルなどの軽量且つ高剛性のプラスチック板で構成することにより、止水板が前記浮体の浮力で容易に移動できるとともに、浸水時の水圧に耐えることができるようになる。
【００２８】
請求項６に係る本発明として、前記可動側パッキン又は固定側パッキンのいずれか一方に強磁性金属が含まれ、いずれか他方に磁石が含まれている請求項１〜５いずれかに記載の横スリットの止水装置又は縦スリットの止水装置が提供される。
【００２９】
上記請求項６記載の発明では、前記可動側パッキン又は固定側パッキンのいずれか一方に鉄などの強磁性金属を含み、いずれか他方に磁石を含む構造とすることにより、浸水時に止水板が移動して可動側パッキンと固定側パッキンとが当接した際に、これらが磁力によって止着され、確実に浸水が防止できるようにしている。
【００３０】
請求項７に係る本発明として、前記止水装置を構成する部材はそれぞれ、前記下側躯体及び上側躯体又は前記一方側躯体及び他方側躯体への固定用の締結部材が横スリット内又は縦スリット内に設けられていない請求項１〜６いずれかに記載の横スリットの止水装置又は縦スリットの止水装置が提供される。
【００３１】
上記請求項７記載の発明では、前記止水装置を構成する部材としてそれぞれ、ボルトなどの固定用の締結部材を横スリット内又は縦スリット内に設けないことにより、横スリット内での締結作業が不要となり、取付けやメンテナンス作業が容易化できるとともに、既設の構造物に対し後付けで本止水装置を取り付けることもできるようにしている。
【発明の効果】
【００３２】
以上詳説のとおり本発明によれば、浸水時に完全に止水できるとともに、経年変化や残留変位などが発生しても収まりがよく、地震時の建物挙動に影響を与えない止水装置が提供できるようになる。
【図面の簡単な説明】
【００３３】
【図１】免震ゴム２１によって支持された建物２０の縦断面図である。
【図２】本発明に係る横スリットの止水装置１を示す、(A)は正面図、(B)は断面図である。
【図３】(A)は通常時、(B)、(C)は浸水時を示す、横スリットの止水装置１の断面図である。
【図４】他の形態例に係る横スリットの止水装置１の断面図である。
【図５】本発明に係る縦スリットの止水装置３０を示す、(A)は正面図、(B)は(A)のＢ−Ｂ線矢視図、(C)は(A)のＣ−Ｃ線矢視図である。
【図６】浸水時の縦スリットの止水装置３０（その１）を示す、(A)は正面図、(B)は(A)のＢ−Ｂ線矢視図である。
【図７】浸水時の縦スリットの止水装置３０（その２）を示す、(A)は正面図、(B)は(A)のＢ−Ｂ線矢視図、(C)は(A)のＣ−Ｃ線矢視図である。
【図８】浸水時の縦スリットの止水装置３０及び横スリットの止水装置１を示す、(A)は正面図、(B)は(A)のＢ−Ｂ線矢視図である。
【図９】従来の横スリット用エキスパンションジョイント５０を示す、(A)は通常時、(B)は地震時の断面図である。
【発明を実施するための形態】
【００３４】
以下、本発明の実施の形態について図面を参照しながら詳述する。
〔横スリットの止水装置１〕
本発明に係る横スリットの止水装置１は、図１に示されるように、地表面ＧＬより４〜１０ｍ掘り下げた免震層２２内において免震ゴムなどの複数の免震装置２１、２１…によって免震支持された建物２０と、前記免震層２２の下層に構築された地下変電所、機械室、電気室、地下駐車場等として利用される地下空間２３と、前記建物２０に一体化され、前記地下空間２３まで延びるエレベータシャフト、階段、地下への車路等のシャフト体２４とからなるとともに、前記シャフト体２４（免震部分）と免震層２２の床面（非免震部分）との間に、地震時の変位を吸収するための、水平方向に開口する横スリット２５（図２参照。）が設けられた免震構造において、前記免震層２２が浸水したときに、免震層２２内の水が前記横スリット２５を通じて地下空間２３内に浸水するのを防止するため、前記横スリット２５の免震層２２側の開口部分に設置されるものである。なお、地表面ＧＬと建物２０との間には、地震時の変位を吸収するため垂直方向に開口する隙間が設けられ、この隙間の開口は、公知のエキスパンションジョイントなどによって被覆されている。
【００３５】
前記横スリット２５は、前記シャフト体２４の壁面から延びる上側躯体２７と、前記免震層２２の床面から立設した下側躯体２６との間に形成された水平方向に開口する隙間である。横スリット２５の上側躯体２７と下側躯体２６との間隙高さｈ（横スリット幅）は、約５０〜１００ｍｍ程度に設定されている。
【００３６】
前記止水装置１についてより詳細に説明すると、前記止水装置１は、図２に示されるように、横スリット２５の免震層２２側の開口部分において、下側躯体２６に対し鉛直方向に移動可能に設けられるとともに、上方に移動した際に前記横スリット２５の開口を閉塞する止水板２と、前記止水板２の免震層２２側の面に取り付けられ、浸水時に浮力によって前記止水板２を上昇させる浮体３と、前記止水板２に取り付けられ、前記止水板２が横スリット２５の開口を閉塞した際に、横スリット２５の上側躯体２７側に設けられた固定側パッキン５に当接する可動側パッキン４と、前記止水板２を横スリット２５の下側躯体２６側に取り付けるための下部架台６と、前記固定側パッキン５を横スリット２の上側躯体２７側に取り付けるための上部架台７とから構成される。
【００３７】
前記下部架台６は、前記止水板２を下側躯体２６に取り付けるための鉄鋼製の架台である。前記下部架台６は、前記下側躯体２６の免震層２２側の側面に対し所定の間隔をあけて平行して配置され、免震層２２の床面から鉛直方向に起立する鉛直面６ａと、この鉛直面６ａの上端から連続して横スリット２５内に向けて延びるとともに、下側躯体２６の上面に対し水密性を確保した状態で定着されるスリット定着面６ｂと、前記鉛直面６ａの下端から連続して免震層２２の床面に平行して延びるとともに、スリット長手方向に所定の間隔で固定用ボルト８、８…を挿通するための複数の通孔が設けられた床固定面６ｃとから構成される。
【００３８】
また、前記下側架台６の鉛直面６ａには、前記止水板２から突出する突起（図示例では止水板２に固定されたボルト９）が係合する鉛直方向に長い長孔６ｄ、６ｄ…が、スリット長手方向に所定の間隔で複数設けられている。この長孔６ｄは、止水板２の突起が係合することにより、長孔６ｄをガイドとして止水板２を鉛直方向にスムーズに移動させるためのものである。前記長孔６ｄは、スリット方向に５００〜１０００ｍｍ程度の間隔で設けられている。前記長孔６ｄの幅は、ボルト９が該長孔６ｄに沿って滑らかに移動可能な程度に、ボルト９の径より大きな幅寸法で形成されている。また、前記長孔６ｄの長さ寸法は、止水板２が上昇移動した際に横スリット２５の開口が閉塞可能なように、横スリット２５の幅ｈとほぼ同等の長さで形成されている。
【００３９】
前記上部架台７は、前記固定側パッキン５を上側躯体２７に取り付けるための鉄鋼製の架台である。前記上部架台７は、前記上側躯体２７の免震層２２側の側面に配置され、スリット長手方向に所定の間隔で固定用ボルト１０、１０…を挿通するための複数の通孔が設けられた躯体固定面７ａと、この躯体固定面７ａの下端から連続して横スリット２５内に向けて延びるとともに、上側躯体２７の下面に対し水密性を確保した状態で定着されるスリット定着面７ｂとからなる、断面略Ｌ字型に構成される。
【００４０】
前記止水板２は、前記下部架台６の鉛直面６ａに平行する止水面２ａと、この止水面２ａの上端からほぼ水平方向に横スリット２５内に向けて連続して延びる水平面２ｂとからなる断面略Ｌ字型をなしている。
【００４１】
前記止水板２は、繊維強化プラスチック（ＦＲＰ）やアクリルなどの軽量で且つ高剛性のプラスチック製とするのが望ましい。これにより、後段で詳述するように、止水板２が浮体３の浮力で容易に上昇できるようになるとともに、浸水時の水圧に耐えることができるようになる。なお、アクリル製の場合には、ＦＲＰより耐水圧性が劣るため、浸水時の水深が浅い場合、具体的には４〜５ｍ程度の場合に用いるのがよい。
【００４２】
前記止水板２の止水面２ａには、前記下部架台６に形成された長孔６ｄに係合する突起が設けられている。前記突起は、止水板２の止水面２ａから下部架台６側に突出して設けられるものであればどのような形態のものでもよいが、図２に示されるように、止水板２の止水面２ａに固定されたボルト９によって構成するのが好ましい。前記ボルト９は、下部架台６の裏面側から前記長孔６ｄ及び止水板２の止水面２ａに形成された通孔に挿通され、止水面２ａの外面側からナットで固定されている。前記ボルト９が長孔６ｄを移動する際に、ボルト９の頭部が下側躯体２６に接触しないように、下部架台６の鉛直面６ａと下側躯体２６との間にボルト９の頭部が滑らかに鉛直方向に移動可能な程度の隙間が設けられている。
【００４３】
前記止水板２の止水面２ａであって免震層２２側の外面上部に、前記浮体３が取り付けられている。前記浮体３は、免震層２２の浸水時に、止水板２を上昇させるのに十分な浮力が発生するものであればいかなる構造のものでも良いが、図２(B)に示されるように、内部に密閉された空気溜まりを有するプラスチック製の中空断面構造とするのが好ましい。前記浮体３の取付け位置は、浸水時に止水板２がスムーズに上昇移動できるように、止水板２の上部や重心位置に設けることが望ましい。この浮体３は、止水板２の止水面２ａのスリット長手方向全長に亘って、連続的に設けてもよいし、間欠的に設けてもよい。
【００４４】
前記可動側パッキン４は、前記止水板２のスリット定着面２ｂの外面に固設されたゴムや樹脂などの水密性を有する材料からなるパッキンである。
【００４５】
また、固定側パッキン５も同様に、上部架台７のスリット定着面７ｂの外面に固設されたゴムや樹脂などの水密性を有する材料からなるパッキンである。
【００４６】
前記可動側パッキン４及び固定側パッキン５は、浸水時に止水板２が上昇したとき、お互いに当接した状態が確実に維持できるように、可動側パッキン４又は固定側パッキン５のいずれか一方に鉄板などの強磁性金属板を介装させ、いずれか他方に磁石を含ませるようにするのがよい。
【００４７】
前記可動側パッキン４及び固定側パッキン５は、横スリット２５の免震層２２側の開口縁部から横スリット２５の奥行き方向に所定の幅を有する帯状に形成するのが好ましい。これによって、免震装置２１の経年変化や地震時の残留変位などによって下側躯体２６と上側躯体２７との間に水平方向のずれが生じた場合でも、可動側パッキン４と固定側パッキン５との止着が可能となる。前記可動側パッキン４と固定側パッキン５の幅寸法は、横スリット２５の奥行き寸法以下であって、具体的には３０〜８０ｍｍ程度が好ましい。
【００４８】
以上の構成からなる止水装置１では、通常時には、図３(A)に示されるように、浮体３の浮力が作用することなく重力によって止水板２が下側躯体２６側に定着している。一方、豪雨や堤防決壊などによって建物と周辺地盤との間の開口を被覆するエキスパンションジョイントの隙間部分から免震層２２内に水が浸水し、免震層２２内の水位が浮体３の取付け位置まで上昇したときには、図３(B)に示されるように、前記浮体３の浮力によって止水板２が上昇を開始する。そして、免震層２２内の水位が増すに従って徐々に止水板２が上昇し横スリット２５の開口を閉めるように作用する。その後、図３(C)に示されるように、さらに水位が上昇して止水板２に取り付けられた可動側パッキン４が前記固定側パッキン５に当接すると、横スリット２５の開口が完全に閉塞される。このとき、可動側パッキン４と固定側パッキン５とが磁力によって止着するため、前記止水板２によって横スリット２５の開口が閉塞された状態が維持でき、横スリット２５を通じた地下空間２３側への浸水が完全に防止できるようになる。
【００４９】
また、免震装置２１の経年変化や地震後の残留変位などによって、横スリット２５の下側躯体２６と上側躯体２７との間にずれが生じた場合でも、前記浮体３の浮力によって止水板２が上昇する単純な機構であるため、止水機構に問題が生じることがない。
【００５０】
更に、通常時は、図３(A)に示されるように、止水板２が下側躯体２６側に定着しているため、地震時に横スリット２５の下側躯体２６と上側躯体２７との間で干渉することがなく、本止水装置１が地震時の建物挙動に影響を与えるおそれがない。
【００５１】
また、本止水装置１は、浮力と磁力を組み合わせることにより完全な止水が可能となるので、電力を必要とせず、エネルギーの節約になるとともに、停電時にも作動できるものである。
【００５２】
ところで、図２に示されるように、前記下部架台６及び上部架台７を固定するボルト８、１０などの締結部材は、横スリット２５内に設けるのではなく、免震層２２側の面に設けることが好ましい。これにより、横スリット２５内においてボルト締めなどの締結作業が不要となり、取付け及びメンテナンスの作業性に優れるとともに、既設の横スリットを有する構造物に対し、後付けで本止水装置１を取り付けることも容易となる。
【００５３】
他方で、前記下部架台６は、図４に示されるように、床固定面６ｃを設けずに、鉛直面６ａの下端部に、下側躯体２６の側面との間に隙間を確保するためのスペーサー１２を介在させた上で、下側躯体２６の壁面に対しボルト８で固定するようにしてもよい。
〔縦スリットの止水装置３０〕
次に、縦スリットの止水装置３０について、図５〜図８に基づいて説明する。図５〜図８では、縦スリットの下端から連続して横スリット２５が設けられ、それぞれに縦スリットの止水装置３０及び上記横スリットの止水装置１が備えられている。
【００５４】
前記縦スリット３１は、免震層内のドアや換気口等の地震時の変位を吸収し縁切りすることなどを目的として設けられるものであり、免震側躯体と非免震側躯体との間に設けられた鉛直方向に開口する隙間である。前記縦スリット３１は、免震装置２１の影響を受けない側の一方側躯体３２と、免震装置２１に支持された建物側の他方側躯体３３と間に形成される。前記縦スリット３１の一方側躯体３２と他方側躯体３３との間隙幅Ｗ（縦スリット幅）は、約８００ｍｍ程度に設定される。
【００５５】
前記縦スリットの止水装置３０は、上記横スリットの止水装置１とほぼ同様の構造を有しているが、止水板の作動機構が若干異なる。具体的には、図５に示されるように、縦スリット３１の免震層２２側の開口部分において、一方側躯体３２に対し水平方向に移動可能に設けられるとともに、水平方向に移動した際に前記縦スリット３１の開口を閉塞する止水板３４と、前記止水板３４と係合し、浸水時に浮力によって上昇した際に前記止水板３４を水平移動させる浮体３５と、前記止水板３４に取り付けられ、前記止水板３４が縦スリット３１の開口を閉塞した際に、縦スリット３１の他方側躯体３３側に設けられた固定側パッキン３７に当接する可動側パッキン３６と、前記止水板３４を縦スリット３１の一方側躯体３２に取り付けるための一方側架台３８と、前記固定側パッキン３７を縦スリット３１の他方側躯体３３に取り付けるための他方側架台３９とから構成される。
【００５６】
前記一方側架台３８は、前記止水板３４を一方側躯体３２に取り付けるための鉄鋼製の架台である。前記一方側架台３８は、図５(C)に示されるように、一方側躯体３２の免震層２２側の側面に平行して所定の間隔をあけて配置された平行面３８ａと、この平行面３８ａの縦スリット３１側の端部から連続して縦スリット３１内に向けて延びるとともに、一方側躯体３２に対し水密性を確保した状態で定着されるスリット定着面３８ｂと、前記平行面３８ａの縦スリット３１と反対側の端部から連続して一方側躯体３２に向けて延び、スリット長手方向に所定の間隔で固定用ボルト３９、３９…を挿通するための複数の通孔が設けられた断面略Ｌ字型の固定部３８ｃとから構成される。
【００５７】
また、前記一方側架台３８の平行面３８ａには、前記止水板３４から突出する突起（図示例では止水板３４に固定されたボルト４０）が係合する係合孔４１が、スリット長手方向に所定の間隔で複数設けられている。前記係合孔４１は、水平方向に延びる水平部４１ａと、この水平部４１ａの縦スリット３１と反対側の端部から連続して下側に延びるストッパー部４１ｂとからなる、略Ｌ字型に形成されている。前記水平部４１ａは、浸水時に止水板３４が水平移動する際のガイドとなる部分であり、前記ストッパー部４１ｂは、通常時（非浸水時）に止水板３４の突起が係合して止水板３４の水平方向への移動を規制する部分である。
【００５８】
前記他方側架台３９は、前記固定側パッキン３７を他方側躯体３３に取り付けるための断面略Ｌ字型の鉄鋼製の架台である。前記他方側架台３９は、図示例のように、縦スリット３１と横スリット２５とが連続して設けられる場合、縦スリット３１の固定側パッキン３７と横スリット２５の固定側パッキン５とが連続的に形成されるように、縦スリット３１の他方側架台３９と横スリット２５の上部架台７とを連続的に形成するのが好ましい。
【００５９】
前記止水板３４は、前記一方側架台３８の平行面３８ａに平行する止水面３４ａと、この止水面３４ａの縦スリット３１側の端部から連続して縦スリット３１内に向けて延びる面３４ｂとからなる断面略Ｌ字型をなしている。
【００６０】
前記止水板３４の止水面３４ａの下部には、前記止水板３４を縦スリット３１側に水平移動させるための車輪４２が設けられている。
【００６１】
図５に示されるように、縦スリット３１と横スリット２５とが連続して設けられる場合、止水板３４の下端にもパッキン４７を設けるのが好ましい。これにより、図８に示されるように、縦スリット３１の開口が止水板３４によって閉塞されるとともに、横スリット２５の開口が止水板２によって閉塞されたときに、止水板２の上面に設けられた可動側パッキン４と前記パッキン４７とが当接して止水性をより向上させることができるようになる。
【００６２】
前記浮体３５は、内部に密閉された空気溜まりを有するプラスチック製の中空断面構造とされた箱体である。前記浮体３５は、浸水時に浮力によって上方に移動する際のガイドとなる、１又は複数の、図示例では２つの上下方向に長い長孔３５ａ、３５ａが形成され、それぞれ一方側躯体３２に固定されるボルト４３、４３が挿通されている。
【００６３】
前記浮体３５の上面には、前記縦スリット３１側に下る傾斜面４４が形成されるとともに、この傾斜面４４を前記車輪４２が走行可能とされている。この傾斜面４４の傾斜角度は、縦スリット３１の幅Ｗに５０ｍｍ程度の余裕を持たせた水平方向長さ（Ｗ＋５０ｍｍ）と、浮体３５の上昇高さである鉛直方向長さとの比から決定される。
【００６４】
図５に示されるように、縦スリット３１と横スリット２５とが連続して設けられる場合、前記浮体３５は、横スリットの止水装置１に備えられる浮体３より低い位置に設けるのが好ましい。これにより、浸水時に横スリットの止水装置１より低い水位で縦スリットの止水装置３０が作動し、縦スリット３１が先行的に閉塞された後、横スリット２５が閉塞されるようになるので、縦スリット３１及び横スリット２５が完全に止水できるようになる。
【００６５】
なお、前記止水板３４の上部には、該止水板３４の上昇を抑え、止水板３４を水平方向に移動しやすくするための予備的な上昇規制部材４６を設けることが好ましい。
【００６６】
次に、縦スリットの止水装置３０の作動状態について説明すると、通常時には、図５に示されるように、浮体３５の浮力が作用することなく、重力によって浮体３５が下端に定着しているとともに、止水板３４の突起４０が係合孔４１のストッパー部４１ｂに係合することにより、止水板３４が一方側躯体３２側に定着している。
【００６７】
続いて、豪雨や堤防決壊などによって免震層２２内が浸水し一定の水位に達した場合、図６に示されるように、浮体３５が浮力によって上昇すると同時に、浮体３５の上面に係合する車輪４２を介して止水板３４が上昇する。浮体３５が一定の高さまで上昇すると、図６に示されるように、止水板３４の突起４０が係合孔４１のストッパー部４１ｂから解除される。
【００６８】
その後さらに水位が増して浮体３５が上昇すると、車輪４２が傾斜面４４を走行することにより、止水板３４の突起４０が係合孔４１の水平部４１ａに沿って移動するとともに、止水板３４が水平方向に移動する。図７に示されるように、可動側パッキン３６が固定側パッキン３７に当接すると、縦スリット３１の開口が完全に閉塞される。このとき、可動側パッキン３６と固定側パッキン３７とが磁力により止着できるようにすることにって、止水板３４によって縦スリット３１の開口が閉塞された状態が維持されやすくなるため好ましい。
【００６９】
さらに水位が上昇すると、横スリットの止水装置１が作動を開始し、図８に示されるように、上述の通り横スリット２５の開口を閉塞する。
【産業上の利用可能性】
【００７０】
本発明は、上記のような免震スリットに限らず、地下施設に設けられた換気口などの横スリット状に形成された開口部に対しても同様に適用できる。
【符号の説明】
【００７１】
１…横スリットの止水装置、２・３４…止水板、３・３５…浮体、４・３６…可動側パッキン、５・３７…固定側パッキン、６…下部架台、７…上部架台、２０…建物、２１…免震装置、２２…免震層、２３…地下空間、２４…シャフト体、２５…横スリット、２６…下側躯体、２７…上側躯体、３０…縦スリットの止水装置、３１…縦スリット、３２…一方側躯体、３３…他方側躯体
【図１】
2015175220.tif 000003
【図２】
2015175220.tif 000004
【図３】
2015175220.tif 000005
【図４】
2015175220.tif 000006
【図５】
2015175220.tif 000007
【図６】
2015175220.tif 000008
【図７】
2015175220.tif 000009
【図８】
2015175220.tif 000010
【図９】
2015175220.tif 000011